(57)【要約】【課題】構造が簡単で扁平状態での厚さを薄くすることにより本のしおり等として有効に使用でき、また、単なる両端部の変形操作により、略円筒形若しくは略楕円筒形に造形してペンとして有効に使用できるようにした。【解決手段】左右の可撓性を有する略長方形のシート材の長辺同士が屈曲自在に接合され、シート材の短辺の側縁には内側に向けて屈曲自在とされた先端および後端側の保持フラップ部５，７が形成された長尺筒状のホルダ部１と、ホルダ部２の内部にその長手方向に沿って保持されたペン本体３と、を備え、保持フラップ部５，７をホルダ部２の内側に向けて略直角に屈曲させた状態でホルダ部２の外形を略円筒形状に膨らませたペン態様と、保持フラップ部５，７をホルダ部２の外方に突出させ又はホルダ部の内壁面に沿って折り曲げることによりホルダ部を偏平としたしおり態様と、に変更自在とした。【選択図】      図２
2010083104.tif 000002
【特許請求の範囲】
【請求項１】
左右の可撓性を有する略長方形のシート材の長辺同士が屈曲自在に接合され、該シート材の短辺の側縁には内側に向けて屈曲自在とされた先端および後端側の保持フラップ部が形成された長尺筒状のホルダ部と、ホルダ部の内部にその長手方向に沿って保持されたペン本体と、を備え、前記ペン本体のペン先が前記ホルダ部の短辺から突出して筆記可能とされることを特徴とする筆記具。
【請求項２】
前記保持フラップ部は、前記ホルダ部の短辺の両側縁に内側に向けて屈曲自在に形成された左右の保持フラップ部により形成され、該左右の保持フラップ部は、その内側屈曲状態において、対向縁が接合し、この接合縁から前記ペン本体のペン先が突出することを特徴とする請求項１に記載の筆記具。
【請求項３】
前記ペン本体の後端には大径の連結部が形成されていることを特徴とする請求項１又は２に記載の筆記具。
【請求項４】
前記ホルダ部の内部にはガイドスリーブが設けられ、このガイドスリーブに前記ペン本体が挿入保持されていることを特徴とする請求項１乃至３のいずれかに記載の筆記具。
【請求項５】
前記ホルダ部を形成するシート材の外周には多数条の長手方向に沿った折り目又は突条よりなる補強リブが形成されていることを特徴とする請求項１乃至４のいずれかに記載の筆記具。
【請求項６】
前記ペン本体は前記ホルダ部内に２本内蔵されるとともに、各ペン本体のペン先は、保持フラップ部の上下両端の角部より外方に突出可能としたことを特徴とする請求項１乃至５のいずれかに記載の筆記具。
【請求項７】
前記保持フラップ部を前記ホルダ部の内側に向けて略直角に屈曲させた状態でホルダ部の外形を略円筒若しくは略楕円筒形に膨らませた態様と、前記保持フラップ部をホルダ部の外方に突出させ又はホルダ部の内壁面に沿って折り曲げることによりホルダ部を偏平とした態様と、に変更自在としたことを特徴とする請求項１乃至６のいずれかに記載の筆記具。
【発明の詳細な説明】
【技術分野】
【０００１】
本発明は、不使用時には扁平化して本のしおりなどとして使用でき、使用時には略円筒形に変形させることにより、ペンとして使用可能とした筆記具に関する。
【背景技術】
【０００２】
上記のような筆記具として、下記特許文献１に示すものがある。このものは扁平な長方形のホルダ部の内部に中軸を回動可能に設け、扁平状態から中軸を９０°回動操作することによって、ホルダ部を棒状に変形させ、ペンとしての使用を可能としている。
【特許文献１】特開２００２−５０６８７号公報
【発明の開示】
【発明が解決しようとする課題】
【０００３】
しかし、上記従来のものは、構造が複雑でホルダ部の内部に中軸を設けなければならないため、中軸の厚み分扁平化した状態での全体の薄さに制限が生じ、例えば扁平状態で本のしおりなどに利用するには厚さが厚すぎ、またホルダ部自体は硬質であるため、可撓性にも乏しかった。
【０００４】
そこでこの発明は、以上の課題を解決するものであって、その目的とするところは、構造が簡単で扁平状態での厚さを薄くすることにより本のしおり等として有効に使用でき、また、単なる両端部の変形操作により、略円筒形若しくは略楕円筒形に造形してペンとして有効に使用できるようにした筆記具を提供するものである。
【課題を解決するための手段】
【０００５】
前記目的を達成するため、本発明は、図の実施の形態にも示すように、左右の可撓性を有する略長方形のシート材の長辺同士が屈曲自在に接合され、該シート材の短辺の側縁には内側に向けて屈曲自在とされた先端および後端側の保持フラップ部５，７（１５，１６）が形成された長尺筒状のホルダ部１と、ホルダ部２の内部にその長手方向に沿って保持されたペン本体３と、を備え、前記ペン本体３のペン先３ｂが前記ホルダ部１の短辺から突出して筆記可能とされることを特徴とする筆記具１（１０）にある。
【０００６】
請求項２に示すように、前記先端及び後端側の保持フラップ部５，７（１５，１６）は、前記ホルダ部２の短辺の両側縁に内側に向けて屈曲自在に形成された左右の保持フラップ部により形成され、該左右の保持フラップ部は、その内側屈曲状態において、対向縁が接合し、この接合縁から前記ペン本体３のペン先３ｂが突出する構成とすることができる。
上記左右の保持フラップ部は、略半円形状若しくは略半楕円形状とされ、接合状態において、略円形状若しくは略楕円形状とされることが望ましい。これにより、ホルダ部２は、略円筒形状若しくは略楕円筒状に造形される。
保持フラップ部は、先端及び後端側に１個づつ、あるいは３個以上の複数個づつ形成させることも可能である。
【０００７】
請求項３に示すように、前記ペン本体３の後端には大径の連結部３ｃを形成させることができる。該連結部３ｃは後端側の前記保持フラップ７（１６）の内縁に抜け止め係合又は連結された構成とすることができる。
【０００８】
請求項４に示すように、前記ホルダ部２の内部にはガイドスリーブ８が設けられ、このガイドスリーブ８に前記ペン本体３が挿入保持された構成とすることが望ましい。
ガイドスリーブ８は、軸方向に沿って１本又は複数本設けることができる。
【０００９】
請求項５に示すように、前記ホルダ部２を形成するシート材の外周には多数条の長手方向に沿った折り目又は突条よりなる補強リブ９を形成することができる。
【００１０】
請求項６に示すように、前記ペン本体３は前記ホルダ部１２内の上下に２本平行に内蔵させるとともに、各ペン本体３，３のペン先３ａ，３ａは、保持フラップ部１５の上下両端の角部より外方に突出可能とした筆記具１０とすることができる。
このような筆記具１０は、２色ボールペンとして使用可能である。
【００１１】
請求項７に示すように、本発明の筆記具は、前記保持フラップ部５，７（１５，１６）を前記ホルダ部２（１２）の内側に向けて略直角に屈曲させた状態でホルダ部２（１２）の外形を略円筒若しくは略楕円筒形状に膨らませたペン態様と、前記保持フラップ部５，７（１５，１６）をホルダ部２（１２）の外方に突出させ又はホルダ部の内壁面に沿って折り曲げることによりホルダ部を偏平としたしおり態様と、に変更自在として使用することができる。
【発明の効果】
【００１２】
本発明の筆記具では、ホルダ部が平坦な状態でペン本体の軸部を内蔵できる程度の厚さに形成されるだけなので、略扁平となり、ポケット内に収めることができるほか、本のしおりなどにも有効に使用できる。また両端の保持フラップ部を内側に折り込むだけで略円筒状若しくは略楕円筒状に立体造形できるため、これをペンとしても有効に使用できる。
上記のように、本発明の筆記具では、簡単な構成により、略偏平なしおり形状から、ぺん形状に容易に変形できる効果がある。
しおり形状の状態では、薄く且つ可撓性があるので、携帯時での収納性が向上する効果がある。しおり形状に変形できるため、名入れが容易で、販促品等のグッズとして低コストで提供できる。
また、ぺん形状に変形させた際には、筒状となり形態が保持された安定した使用感が得られる効果がある。
【００１３】
請求項３に記載の連結部を設け、または、請求項４に記載のガイドスリーブを設けることにより、ペン形状とした場合に、自動的にペン先が突出し、また、ホルダ部内へのペン本体の保持と、ペン先の突出調整も容易となる効果がある。
【００１４】
請求項５の発明では、ホルダ部を略円筒または楕円筒に造形したペン形状では、補強リブによる補強効果により、ホルダ部がグリップ力により簡単に折れたり、曲がったりすることを未然に防止でき、筆記性が向上する効果がある。
【００１５】
請求項６の発明では、２色ペンとして使用できる。
【発明を実施するための最良の形態】
【００１６】
図１（ａ），（ｂ），図２（ａ）〜（ｃ）は、本発明の第１の実施形態を示している。本実施形態は筆記具１を携帯用ボールペンに適用した例を示すものである。
【００１７】
図１（ａ）および図２（ａ）に示すように、この筆記具１は、不使用時には扁平形をなすものであって、左右の可撓性を有する略長方形のシート材の長辺同士を屈曲自在に接合した筒状のホルダ部２と、ホルダ部２内の長手方向一側縁内側に沿って配置されたペン本体３とを備える。
【００１８】
ホルダ部２を構成する可撓性シート材は、樹脂コーティングされた硬質紙、あるいはポリプロピレンなどの適宜な硬度で、可撓性がある合成樹脂シートなどかなるものであり、その長手方向両側は開口されており、不使用時においては、ペン本体３の径に応じた厚みに形成され、かつその可撓性により、本のしおりなどとして活用が可能となっている。
【００１９】
ホルダ部２の両側縁において、その前部側の短辺方向には略四半円形の山折り線４を介して互いに内側に向けて屈曲自在とされた左右一対の前部側保持フラップ５が形成され、また後部側の短片方向には略半円形の山折り線６を介して互いに略半円弧形をなして内側に向けて屈曲自在とされた後部側保持フラップ７が形成されている。各保持フラップ５，７を山折り線４，６に沿って内側に向けて矢印に示すように屈曲させ、屈曲状態に重ね合わせることにより、先端側では片側を弧状切欠き面とした突出形状となり、後端が半円弧形をなして、図２（ｂ）に示すごとく、略円筒形のグリップ部が立体造形される。この略円筒形の直径は、通常の筆記具のホルダ部の径に応じた寸法に設定されているとともに、またその長さは筆記具として好適な長さに設定され、かつ保持フラップ５，７に外力を加えて保持フラップ５，６を再展開しない限りは、略円筒状に保持される。
【００２０】
ペン本体３は、図２（ｃ）に示すように、可撓性のある半透明のチューブからなり、内部に油性ないしは中性インクを充填した軸部３ａと、軸部３ａの先端に一体に連結され、かつ最先端部にボールを回転可能に保持した円錐形のペン先３ｂとを備えたものである。また、軸部３ａの後端には大径の連結部３ｃが設けられている。
【００２１】
軸部３ａは、ホルダ部２の長手方向一側縁内側に固定された前後１対のガイドスリーブ８に沿って移動可能にガイドされているとともに、その後端の連結部３ｃを後部保持フラップ６に係合して連結されており、平坦状から円筒形に造形した時点で、軸部３ａの後端連結部３ｃが後部保持フラップ６の内側または外側への膨出により押圧され、恰もノック式のペンと同じく、軸部３ａがチューブガイド８に沿って前進移動し、図２（ｃ）の１部に拡大して示すように、そのペン先３ｂがホルダ部２の先端角部より外方に突出し、この状態でホルダ部２をグリップして筆記作業が可能となる。
【００２２】
図３（ａ），（ｂ）、図４は、本発明の第２実施形態を示すものである。なお、本実施形態では前記第１実施形態と基本的には同一であるから、その同一箇所には同一符号を用いて説明を省略し、新たに付加された箇所にのみ別の符号を用いて説明する。
【００２３】
すなわち、第２実施形態においては、前記ホルダ部２の長手方向には、特に図４に拡大して示すように、円筒に立体造形した状態で補強リブ９となる多数条の折り目を形成した以外は、第１実施形態と同じである。第２実施形態においては、ホルダ部２を円筒に造形した状態でグリップ力によるホルダ部２の折れや、つぶれがなく、形状保持力が増すものとなる。補強リブ９は、ホルダ部２を形成するシート材の表面に平行に突条を形成して設けても良い。
【００２４】
図５（ａ）〜（ｃ）は、本発明の第３実施形態を示すものである。
第３実施形態は筆記具１０を２色筆記具（ボールペン）に適用した場合を示す。図５（ａ）に示す扁平状態において、ホルダ部１２の両側面の前後部には、それぞれ半円弧状の山折り線１４を介して前後類似形状の１対の保持フラップ１５、１６が形成されており、また、図５（ｃ）に示すように、それぞれ異なる色インクを内蔵した二本のペン本体３の軸部３ａは、それぞれ、ホルダ部１２の長手方向両側縁内側にそれぞれ固定された前後１対のガイドスリーブ８に沿って移動可能にガイドされている。またペン本体３後端の連結部３ｃを後部保持フラップ１６に連結させており、ホルダ部１２を平坦状から円筒形に造形した時点で、軸部３ａの後端連結部３ｃが後部保持フラッ１６プ６の内側への膨出により押圧され、恰もノック式のペンと同じく、軸部３ａがチューブガイド８に沿って前進移動し、図５（ｂ），（ｃ）に示すように、両側ペン先３ｂがホルダ部１２の先端角部より外方に突出する。
【００２５】
なお、第３実施形態において、ホルダ部１２を垂直に立てた状態では、筆記面には二本の平行な線が描画されるが、ホルダ部１２を傾けた状態で好みの色のペン先３ｂを筆記面に当てて描画することにより、好みの色の文字、図形などを描画することができる。また、このためにペン先３ｂ同士は離れていた方がよいので、ホルダ部１２は円筒に造形した状態でその直径が前記第１，第２実施例に比べてやや太めに設定されるようにすることが好ましい。
【００２６】
また、第３実施形態においても、第２実施形態のごとく、ホルダ部１２の長手方向に円筒に立体造形した状態で補強リブを形成することも可能であることは勿論である。
【００２７】
さらに、各実施形態において、ホルダ部２（１２）が扁平の状態では本のしおりなどの用途のほか、長尺扁平状であるため、例えば、図６に示すようにその長手方向に沿って目盛り模様２０を印刷あるいは刻印して簡易物差しとして利用できる。また販売促進用のサービス商品としての用途もあるので、会社名や、商品ロゴマークなどを印刷・刻印するようにもできる。
【図面の簡単な説明】
【００２８】
【図１】（ａ），（ｂ）は本発明を筆記具に適用した第１実施形態における平坦状態および円筒状態を示す平面図、側面図、正面図および背面図である。
【図２】（ａ）〜（ｃ）は同平坦状、円筒状および円筒状態における内部を透視して示す斜視図である。
【図３】（ａ），（ｂ）は本発明を筆記具に適用した場合における第２実施形態を示す平坦状および円筒状態の斜視図である。
【図４】図３（ｂ）のＡ−Ａ線における１部拡大断面斜視図である。
【図５】（ａ）〜（ｃ）は本発明を２色筆記具に適用した第３実施形態を示す平坦状、円筒状および円筒状態における内部を透視して示す斜視図である。。
【図６】ホルダ部の扁平状態で、簡易スケールとしての利用を図った適用例を示す斜視図である。
【符号の説明】
【００２９】
１，１０  筆記具
２  ホルダ部
３  ペン本体
３ａ  軸部，３ｂ  ペン先，３ｃ  連結部
５，７，１５，１６  保持フラップ部
４，６，１４  山折り線
８  ガイドスリーブ
９  補強リブ
２０  目盛り模様
【図１】
2010083104.tif 000003
【図２】
2010083104.tif 000004
【図３】
2010083104.tif 000005
【図４】
2010083104.tif 000006
【図５】
2010083104.tif 000007
【図６】
2010083104.tif 000008